(57)【要約】      （修正有）【課題】ユーザが見やすい字幕表示制御を提供する。【解決手段】番組が開始されると、字幕が表示画面の外側、中間、内側のどの領域に表示されているかを調べ、予め設定した所定時間において、各領域に表示された回数から各領域の頻度分布を求める。表示画面の外側領域に表示される頻度が高い場合は、主要映像と副次的な字幕情報という位置付けであると推定し、字幕表示を移動させない。また、どの領域も同程度の頻度である時も、字幕を移動させない。それ以外の場合は、字幕を周辺領域に移動させる表示制御を行う。【選択図】図５
2008172611.tif 000002
【特許請求の範囲】
【請求項１】
字幕表示が可能なテレビジョン表示装置であって、
表示画面において字幕が表示される位置の頻度を取得する手段と、
該頻度に基づいて表示の種別を判断する手段と、
該判断に基づいて字幕で映像が見にくくならないように字幕の表示位置を移動させる表示制御を行うか否かを決定する手段と
を有することを特徴とするテレビジョン受信装置。
【請求項２】
前記表示の種別を判断する手段は、前記字幕が表示される位置の頻度を取得する手段により求められた頻度が、表示画面の中心側で高い場合に、映像主体の種別であると判断し、表示画面の周辺側で高い場合に、映像と字幕表示とが共存する種別であると判断することを特徴とする請求項１に記載のテレビジョン装置。
【請求項３】
前記表示の種別を判断する手段は、字幕の表示される位置を判定するための仮想的な第１の境界線に基づいて、それより内側の領域の頻度が高いか、外側の領域の頻度が高いかにより判断することを特徴とする請求項１に記載のテレビジョン受信装置。
【請求項４】
前記表示の種別を判断する手段は、前記字幕が表示される位置の頻度を取得する手段により求められた頻度が、表示画面の中心側で高い場合に、映像主体の種別であると判断し、表示画面の周辺側で高い場合に、映像と字幕表示とが共存する種別であると判断し、全域にわたる場合に表示の種別が文字放送主体であると判断することを特徴とする請求項１に記載のテレビジョン装置。
【請求項５】
前記第１の境界線に加えて、ある幅を有する第２の境界線を少なくとも１本だけ加え、前記第１の境界線と前記第２の境界線との間における頻度も加味することにより、前記表示画面全域における字幕の表示が略均等であると判断することを特徴とする請求項３に記載のテレビジョン装置。
【請求項６】
前記境界線を変更する操作手段を備えることを特徴とする請求項３又は５に記載のテレビジョン装置。
【請求項７】
前記頻度を、表示される番組又はコンテンツが変更された後に逐次取得していくことを特徴とする請求項１から６までのいずれか１項に記載のテレビジョン装置。
【発明の詳細な説明】
【技術分野】
【０００１】
本発明は、テレビジョン受信装置に関し、特に、その字幕表示技術に関する。
【背景技術】
【０００２】
テレビジョン受信装置に字幕を表示させる様々な技術がある。図６は、一般的なテレビジョン受信装置２０１の表示例を示す図である。図６に示すように、テレビジョン受信装置２０１の表示画面２１１には、映像表示２３１と字幕表示２４１とが表示可能になっている。
【０００３】
例えば、表示画面に字幕の表示位置及び表示領域を示すブロックを表示させ、ユーザがリモコン操作でこれを目印にして指定することにより、主映像の邪魔にならない任意の位置に字幕を移動させる技術がある。また、表示画面上の主映像の表示位置に基づいて、字幕情報データ(表示領域や表示位置)の値を自動的に変更して表示位置を移動することにより、字幕を映像と一緒に見易く表示する技術も開示されている。
【０００４】
【特許文献１】特開２００４−３２０３２４号公報
【特許文献２】特開２００２−１９９３５４号公報
【発明の開示】
【発明が解決しようとする課題】
【０００５】
しかしながら、字幕表示位置を手動で移動させるのは、ユーザにとって手間がかかり煩雑であるという問題があった。また、特許文献２は、表示画面の一部に縮小映像を表示させる場合に、字幕表示領域や位置を自動的に変更して一緒に見易くすることを目的としており、画面全体に映像を表示する通常の視聴形態において字幕が映像の重要な部分に重なって邪魔になる場合には適用できないという問題がある。
本発明は、見やすい字幕表示制御の簡単化を目的とする。
【課題を解決するための手段】
【０００６】
主映像に付加されている字幕情報データから字幕表示位置の頻度分布を算出し、頻度分布をもとに以降の字幕表示移動の要否を判断し、”要”と判断された場合には、自動的に字幕表示位置を移動させる。画面全体に映像を表示した際に字幕で映像が見づらい場合に字幕を自動的に移動させる技術であり、主映像に付加されている字幕情報データから字幕表示位置の頻度分布を算出し、頻度分布をもとに以降の字幕表示移動の要否を判断し、”要”と判断された場合には、自動的に字幕表示位置を移動させる。
【０００７】
すなわち、本発明の一観点によれば、字幕表示が可能なテレビジョン表示装置であって、表示画面において字幕が表示される位置の頻度を取得する手段と、該頻度に基づいて表示の種別を判断する手段と、該判断に基づいて字幕で映像が見にくくならないように字幕の表示位置を移動させる表示制御を行うか否かを決定する手段と、を有することを特徴とするテレビジョン受信装置が提供される。
【０００８】
前記表示の種別を判断する手段は、前記字幕が表示される位置の頻度を取得する手段により求められた頻度が、表示画面の中心側で高い場合に、映像主体の種別であると判断し、表示画面の周辺側で高い場合に、映像と字幕表示とが共存する種別であると判断することが好ましい。前記表示の種別を判断する手段は、字幕の表示される位置を判定するための仮想的な第１の境界線に基づいて、それより内側の領域の頻度が高いか、外側の領域の頻度が高いかにより判断することが可能である。前記表示の種別を判断する手段は、前記字幕が表示される位置の頻度を取得する手段により求められた頻度が、表示画面の中心側で高い場合に、映像主体の種別であると判断し、表示画面の周辺側で高い場合に、映像と字幕表示とが共存する種別であると判断し、全域にわたる場合に文字放送主体の種別であると判断することができる。
【０００９】
前記第１の境界線に加えて、ある幅を有する第２の境界線を少なくとも１本だけ加え、前記第１の境界線と前記第２の境界線との間における頻度も加味することにより、前記表示画面全域における字幕の表示が略均等であると判断することもできる。前記境界線を変更する操作手段を備えるようにしてもよい。前記頻度を、表示される番組又はコンテンツが変更された後に逐次取得していくのが好ましい。
【発明の効果】
【００１０】
本発明の表示制御技術を用いると、字幕を含む表示画面がユーザにとって見やすくなる。
【発明を実施するための最良の形態】
【００１１】
以下、本発明の第１の実施の形態による字幕表示制御技術を用いるテレビジョン受信装置について図面を参照しながら説明を行う。図１は、本実施の形態によるテレビジョン受信装置の一構成例を示す機能ブロック図である。図１に示すように、本実施の形態によるテレビジョン受信装置は、チューナ部１０１と、分離部１０２と、ＡＶデコーダ１０３と、文字放送デコーダ１０４と、ＡＶ表示出力部１０５と、表示用のモニタ部１０６と、全体を制御するＣＰＵ１０７と、メモリ１０８と、インターフェイス部１０９と、を有している。分離部で文字情報を分離し、文字放送デコーダによりデコードすることで、字幕に関するデータを抽出し、表示制御に基づいてモニタ部１０６に字幕を表示させることができる。
【００１２】
図２は、モニタ部１０６の画面表示例を示す図である。図２に示すように、モニタ部１０６の画面表示１１１は、破線ＤＬ１で示される領域に表示される主映像表示１１２と、この主映像表示１１２を避けた領域に表示される字幕表示１１３と、を含んでいる場合がある。尚、これらの領域は、実際に表示画面に表示されるわけではなく、表示制御における仮想的な領域として図示したものである。
【００１３】
図３は、本実施の形態による字幕表示処理の流れを示すフローチャート図である。図３に示すように、まず、ステップＳ１において番組が開始すると、ステップＳ２において、初期化処理が行われる。初期化処理においては、１）字幕移動要否が否、２）頻度パラメータが、Ｎａ＝Ｎｃ＝０、Ｐａ＝Ｐｃ＝０とする。ここで、Ｎｘは、各領域での字幕表示回数、Ｐｘは各領域での字幕表示頻度である。
【００１４】
次いで、ステップＳ３において、字幕入力があるか否かを判定し、ＹｅｓであればステップＳ４に進み、字幕データをデコードする。尚、字幕の表示領域の判定については、表示に関連する表示画面上での位置データに基づいて判定することができる。ステップＳ５において、字幕を表示画面のどの領域に表示されているかを調べる。領域Ａ（図２のＤＬ１で示される境界の外側領域）に表示されている場合には、Ｎａ＝Ｎａ＋１とする。領域Ｃ（図２の境界ＤＬ１の内側領域）に表示されている場合には、Ｎｃ＝Ｎｃ＋１とする処理を行う。これらの値は逐次、メモリに記憶しておく。これにより、番組開始からの動作において表示された字幕の表示位置に基づいて表示の頻度を求めることができる。
【００１５】
次いで、ステップＳ８において予め設定した所定時間、例えば１０秒が経過していれば（Ｙｅｓ）、ステップＳ９に進む。
ステップＳ９において、頻度分布を算出する。
Ｐａ＝Ｎａ／（Ｎａ＋Ｎｃ）
Ｐｃ＝Ｎｃ／（Ｎａ＋Ｎｃ）
【００１６】
ここで、例えば、Ｐａが０．５以上であるか否かをステップＳ９で判定する。Ｐａが０．５以上であれば、字幕は表示画面の外側領域に表示される頻度分布が高いと判断され、主要映像と副次的な字幕情報という位置づけであると推定される。従って、字幕表示を移動させる必要はないという判断となる（ステップＳ１２）。一方、Ｎｏであれば、字幕で映像が見づらいと判断されるため、字幕を周辺領域に移動させる表示制御を行う。
【００１７】
以上に説明したように、本実施の形態による字幕の表示制御技術によれば、テレビジョン受信装置の番組が開始してからの字幕の表示位置の頻度を求め、頻度に基づいて番組の内容（字幕の役割・位置づけ）を推定することで字幕の移動の要否を判断することができる。従って、番組提供者（作成者）の意図した位置に字幕を表示することができるため、本来の形で視聴することが簡単にできるという利点がある。
【００１８】
次に、本発明の第２の実施の形態による字幕表示制御技術を用いたテレビジョン受信装置について図面を参照しながら説明を行う。図４は、本実施の形態によるテレビジョン受信装置の表示部１０６の表示画面を仮想的に領域分けした図である。画面表示１１１は、破線ＤＬ２の内側の領域に表示される主映像表示１２２と、破線ＤＬ２の外側に設けられた破線ＤＬ３により画定される外側領域に表示される字幕表示１２３と、破線ＤＬ２と破線ＤＬ３との間における領域１２４とを含む。
【００１９】
すなわち、本実施の形態では、主として映像を表示する第１領域１２２と、主として字幕を表示する第２領域１２３と、第１領域１２２と第２領域１２３との間のバッファーゾーンともいえる第３領域１２４とを画定している点で第１の実施の形態と異なる。
【００２０】
図５は、本実施の形態による字幕表示処理の流れを示すフローチャート図である。図５に示すように、まず、ステップＳ２１において番組が開始すると、ステップＳ２２において、初期化処理が行われる。ステップＳ２２の初期化処理においては、１）字幕移動要否が否、２）頻度パラメータが、Ｎａ＝Ｎｂ＝Ｎｃ＝０、Ｐａ＝Ｐｂ＝Ｐｃ＝０とする。ここで、Ｎｘは、各領域での字幕表示回数、Ｐｘは各領域での字幕表示頻度である（外側から順にａ、ｂ、ｃである）。
【００２１】
次いで、ステップＳ２３において、字幕入力があるか否かを判定し、ＹｅｓであればステップＳ２４に進み、字幕データをデコードする。次いで、ステップＳ２５においては、字幕を表示画面のどの領域に表示されているかを調べる。領域Ａ（図４のＤＬ３で示される境界の外側領域１２３）に表示されている場合には、Ｎａ＝Ｎａ＋１とする（ステップＳ２６）。領域Ｂ（図４のＤＬ２とＤＬ３との間の領域１２４）に表示されている場合は、Ｎｂ＝Ｎｂ＋１とする（ステップＳ２７）。領域Ｃ（図４の境界ＤＬ１の内側領域１２２）に表示されている場合には、Ｎｃ＝Ｎｃ＋１とする処理を行う（ステップＳ２８）。これらの値は逐次、メモリに記憶しておく。これにより、番組開始からの動作において表示された字幕の表示位置に基づいて表示の頻度を求めることができる。
【００２２】
次いで、ステップＳ２９において予め設定した所定時間、例えば１０秒が経過しているか否かを判定し、経過していれば（Ｙｅｓ）、ステップＳ３０に進む。ステップＳ３０において、頻度分布を算出する。
Ｐａ＝Ｎａ／（Ｎａ＋Ｎｂ＋Ｎｃ）
Ｐｂ＝Ｎｂ／（Ｎａ＋Ｎｂ＋Ｎｃ）
Ｐｃ＝Ｎｃ／（Ｎａ＋Ｎｂ＋Ｎｃ）
【００２３】
ここで、例えば、Ｐａが０．５以上であるか否かをステップＳ３１で判定する。Ｐａが０．５以上であれば、字幕は表示画面の外側領域に表示される頻度分布が高いと判断され、主要映像と副次的な字幕情報という位置づけであると推定される。従って、字幕表示を移動させる必要はないという判断となる（ステップＳ３４）。一方、Ｎｏであれば、Ｐａ、Ｐｂ、Ｐｃの全てが例えば０．３０から０．３６までの間という条件を満たすか否かを判定する。これらの条件を全て満たす場合には（Ｙｅｓ）、メインは文字情報と判断し、字幕を移動させない（ステップＳ３４）。ＮＯの場合には、字幕で映像が見づらいと判断されるため、字幕を周辺領域に移動させる表示制御を行う（ステップＳ３３）。
【００２４】
以上に説明したように、本実施の形態による字幕の表示制御技術によれば、第１の実施の形態による表示制御に加えて、メインが文字情報と判断される場合を検出することができ、その場合に字幕表示を移動させない表示制御を行うことで、より細かな制御を行うことができ、ユーザが見やすいようにすることができる。
【００２５】
尚、第１の実施の形態、第２の実施の形態による境界領域ＤＬの位置は、ユーザの操作により、或いは、製造者の初期設定において変更することができるように構成されていてもよい。また、上記手順で求められた頻度に基づく字幕の移動の可否と、その後に行われたユーザ操作による字幕移動とにより、自動的な判断による字幕の移動の可否とユーザ操作による後の字幕移動の頻度とに基づいて、ユーザ操作による判断に近づくように境界領域を移動させることも可能である。
【産業上の利用可能性】
【００２６】
本発明は、テレビ受信装置の表示制御に利用可能である。
【図面の簡単な説明】
【００２７】
【図１】本発明の第１の実施の形態によるテレビジョン受信装置の一構成例を示す機能ブロック図である。
【図２】テレビジョン受信装置のモニタ部の画面表示例を示す図であり、表示画面を仮想的に領域分けした図である。
【図３】本実施の形態による字幕表示処理の流れを示すフローチャート図である。
【図４】図４は、本実施の形態によるテレビジョン受信装置の表示部の表示画面を仮想的に領域分けした図である。
【図５】本実施の形態による字幕表示処理の流れを示すフローチャート図である。
【図６】一般的なテレビジョン受信装置の表示例を示す図である。
【符号の説明】
【００２８】
１０１…チューナ部、１０２…分離部、１０３…ＡＶデコーダ、１０４…文字放送デコーダ、１０５…ＡＶ表示出力部、１０６…表示用のモニタ部、１０７…ＣＰＵ、１０８…メモリ、１０９…インターフェイス部。
【図１】
2008172611.tif 000003
【図２】
2008172611.tif 000004
【図３】
2008172611.tif 000005
【図４】
2008172611.tif 000006
【図５】
2008172611.tif 000007
【図６】
2008172611.tif 000008